(57)【要約】【課題】装置の内部で発生する異物の影響を低減できる画像形成装置を提供する。【解決手段】画像形成装置１００は、画像形成部１０と第１の扉５１とを備えている。画像形成部１０は、用紙に画像を形成する。第１の扉５１は、画像形成部１０の画像形成動作の実行により消耗する消耗品の交換のために開閉される。画像形成装置１００は、画像形成部１０よりも下方に配置されたサーバーと、サーバーを出し入れするために開閉される第２の扉５２とをさらに備えている。第１の扉５１と第２の扉５２とは、画像形成装置の異なる側面に設けられている。【選択図】図２
2018138956.tif 000002
【特許請求の範囲】
【請求項１】
用紙に画像を形成する画像形成部と、
前記画像形成部の画像形成動作の実行により消耗する消耗品の交換のために開閉される第１の扉とを備える、画像形成装置であって、
前記画像形成部よりも下方に配置されたサーバーと、
前記サーバーを出し入れするために開閉される第２の扉とをさらに備え、
前記第１の扉と前記第２の扉とは、前記画像形成装置の異なる側面に設けられる、画像形成装置。
【請求項２】
ジャム発生時に紙詰まり用紙を取り除くために開閉される第３の扉をさらに備え、
前記第２の扉と前記第３の扉とは、前記画像形成装置の異なる側面に設けられる、請求項１に記載の画像形成装置。
【請求項３】
前記第１の扉と前記第３の扉とは、前記画像形成装置の異なる側面に設けられる、請求項２に記載の画像形成装置。
【請求項４】
前記画像形成部は、前記用紙を上下方向に搬送し、
前記第３の扉は、前記上下方向に搬送される前記用紙の搬送経路を開放可能である、請求項２または３に記載の画像形成装置。
【請求項５】
前記画像形成部と前記サーバーとを電気的に接続する配線と、
前記配線の接続および取り外し作業のために開閉される第４の扉とをさらに備える、請求項１〜４のいずれか１項に記載の画像形成装置。
【請求項６】
前記サーバーは、前記配線が接続される端子を有し、
前記端子は、前記第２の扉よりも前記第４の扉に近く配置されている、請求項５に記載の画像形成装置。
【請求項７】
前記第４の扉は、前記第２の扉の設けられる前記画像形成装置の側面と反対側の側面に設けられる、請求項５または６に記載の画像形成装置。
【請求項８】
前記第１の扉は、前記画像形成装置の前側面に設けられる、請求項１〜７のいずれか１項に記載の画像形成装置。
【請求項９】
前記画像形成部に電力を供給する第１電力供給部と、
前記サーバーに電力を供給する第２電力供給部とをさらに備える、請求項１〜８のいずれか１項に記載の画像形成装置。
【請求項１０】
前記第２の扉は、前記第２の扉の下縁部を中心として回動して開閉する、請求項１〜９のいずれか１項に記載の画像形成装置。
【請求項１１】
前記サーバーを収容する収容部と、
前記収容部をスライド移動可能に支持するレール部とをさらに備える、請求項１〜１０のいずれか１項に記載の画像形成装置。
【発明の詳細な説明】
【技術分野】
【０００１】
本開示は、画像形成装置に関する。
【背景技術】
【０００２】
従来の画像形成装置に関して、たとえば、特開２００９−５４０６６号公報（特許文献１）には、利便性を高くすることを目的とした、画像形成装置が開示されている。
【０００３】
特許文献１に開示された画像形成装置においては、コピー機能、ファクシミリ機能、プリンタ機能およびスキャナ機能などの複数の機能を備えた複合機（ＭＦＰ：Multifunctional  Peripherals）に、ノートパソコンやモバイルパソコンなどの持ち運び可能な端末装置を格納可能な格納部が設けられている。格納部は、複合機の側部に形成された開閉扉により開閉される。
【先行技術文献】
【特許文献】
【０００４】
【特許文献１】特開２００９−５４０６６号公報
【発明の概要】
【発明が解決しようとする課題】
【０００５】
画像形成装置は、消耗品の交換、紙詰まりの解消などを目的として開放される扉を有している。また画像形成装置では、画像形成動作の実行により、装置の内部においてトナー粉末および紙粉などの異物が発生する。扉を開放するときに異物が外部に飛散すると、画像形成装置の周辺の環境に影響を及ぼす可能性がある。
【０００６】
本開示では、装置の内部で発生する異物の影響を低減できる、画像形成装置が提供される。
【課題を解決するための手段】
【０００７】
本開示に従うと、画像形成部と第１の扉とを備える画像形成装置が提供される。画像形成部は、用紙に画像を形成する。第１の扉は、画像形成部の画像形成動作の実行により消耗する消耗品の交換のために開閉される。画像形成装置は、画像形成部よりも下方に配置されたサーバーと、サーバーを出し入れするために開閉される第２の扉とをさらに備えている。第１の扉と第２の扉とは、画像形成装置の異なる側面に設けられている。
【０００８】
上記の画像形成装置は、ジャム発生時に紙詰まり用紙を取り除くために開閉される第３の扉をさらに備えている。第２の扉と第３の扉とは、画像形成装置の異なる側面に設けられている。
【０００９】
上記の画像形成装置において、第１の扉と第３の扉とは、画像形成装置の異なる側面に設けられている。
【００１０】
上記の画像形成装置において、画像形成部は、用紙を上下方向に搬送する。第３の扉は、上下方向に搬送される用紙の搬送経路を開放可能である。
【００１１】
上記の画像形成装置は、画像形成部とサーバーとを電気的に接続する配線と、配線の接続および取り外し作業のために開閉される第４の扉とをさらに備えている。
【００１２】
上記の画像形成装置において、サーバーは、配線が接続される端子を有している。端子は、第２の扉よりも第４の扉に近く配置されている。
【００１３】
上記の画像形成装置において、第４の扉は、第２の扉の設けられる画像形成装置の側面と反対側の側面に設けられている。
【００１４】
上記の画像形成装置において、第１の扉は、画像形成装置の前側面に設けられている。
上記の画像形成装置は、画像形成部に電力を供給する第１電力供給部と、サーバーに電力を供給する第２電力供給部とをさらに備えている。
【００１５】
上記の画像形成装置において、第２の扉は、第２の扉の下縁部を中心として回動して開閉する。
【００１６】
上記の画像形成装置は、サーバーを収容する収容部と、収容部をスライド移動可能に支持するレール部とをさらに備えている。
【発明の効果】
【００１７】
本開示に係る画像形成装置によれば、装置の内部で発生する異物の影響を低減することができる。
【図面の簡単な説明】
【００１８】
【図１】実施の形態１における画像形成装置の外観を模式的に示す斜視図である。
【図２】図１に示す画像形成装置を異なる角度から見た斜視図である。
【図３】画像形成装置の内部構造を示す模式図である。
【図４】サーバー装置の扉を開放した状態を示す斜視図である。
【図５】実施の形態２におけるサーバー装置を側方から見た模式図である。
【図６】サーバーを収容する箱をキャビネットの外部へスライド移動した状態を示す斜視図である。
【発明を実施するための形態】
【００１９】
以下、図面に基づいて、実施の形態における画像形成装置について説明する。以下に示す実施の形態において、同一または実質的に同一の構成については、同一の符号を付して、重複した説明は繰り返さない。以下で説明される実施の形態の各構成は、適宜選択的に組み合わされてもよい。
【００２０】
（実施の形態１）
図１は、実施の形態１における画像形成装置１００の外観を模式的に示す斜視図である。図２は、図１に示す画像形成装置１００を異なる角度から見た斜視図である。
【００２１】
画像形成装置１００は、天面４１と、前側面４２と、右側面４３と、左側面４４と、後側面４５と、底面４６とを有しており、これらの面が画像形成装置１００の外観を成している。画像形成装置１００は、全体として、略直方体形状を有している。前側面４２、右側面４３、左側面４４および後側面４５は、側方に向いて配置されている。
【００２２】
前側面４２は、画像形成装置１００を使用する作業者が通常立つことになる、画像形成装置１００の正面側を向いている。前側面４２には、タッチパネル７０が設けられている。タッチパネル７０は、前側面４２の一部を構成している。タッチパネル７０は、タッチセンサと一体化した表示部によって構成されている。作業者は、タッチパネル７０を操作することにより、画像形成装置１００を用いて印刷または画像読取などの各種の作業を行なう。
【００２３】
後側面４５は、前側面４２の裏側に配置されており、画像形成装置１００の背面側を向いている。右側面４３および左側面４４は、前側面４２および後側面４５の間で延在している。左側面４４は、右側面４３の裏側に配置されている。
【００２４】
天面４１は、鉛直上方向を向いて配置されている。底面４６は、天面４１の裏側に配置されており、鉛直下方向を向いて配置されている。底面４６は、画像形成装置１００を設置する床面２００（図３）に向いて配置されている。天面４１は、略平面状の形状を有している。作業者は、天面４１を作業テーブルとして使用して、簡易的な作業を行なうことが可能である。
【００２５】
図３は、画像形成装置１００の内部構造を示す模式図である。図１〜３に示すように、画像形成装置１００は、画像形成部１０と、サーバー装置３０とを備えている。画像形成部１０とサーバー装置３０とは一体化されており、本実施の形態では、サーバー装置３０は画像形成部１０よりも下方に配置されている。画像形成部１０が画像形成装置１００における上段に設けられ、サーバー装置３０が画像形成装置１００における下段に設けられている。
【００２６】
画像形成部１０は、記録媒体としての用紙２６に画像を形成する。画像形成部１０は、コピー機能、ファクシミリ機能、プリンタ機能およびスキャナ機能などの複数の機能を備えた複合機（ＭＦＰ）である。
【００２７】
画像形成部１０は、画像形成ユニット１１Ｙ，１１Ｍ，１１Ｃ，１１Ｋと、中間転写ベルト２１と、二次転写ローラー２２と、定着装置２３と、排紙トレイ２４と、給紙トレイ２５（２５Ｐ，２５Ｑ）と、画像読取部２８とを有している。
【００２８】
画像形成ユニット１１Ｙ，１１Ｍ，１１Ｃ，１１Ｋは、各々、感光体（像担持体）１２、帯電装置１３、露光装置１４、現像装置１５、一次転写ローラー１６およびクリーニングブレード１７を有している。画像形成ユニット１１Ｙ，１１Ｍ，１１Ｃ，１１Ｋは、これらの装置を用いて、それぞれ、イエロー（Ｙ）、マゼンタ（Ｍ）、シアン（Ｃ）、ブラック（Ｋ）の色を有するトナー像を中間転写ベルト２１の表面に形成する。
【００２９】
各色のトナー像は、中間転写ベルト２１の表面上で重ね合わされる。その後、中間転写ベルト２１は、中間転写ベルト２１と二次転写ローラー２２との間の二次転写部に、カラートナー像を搬送する。
【００３０】
給紙トレイ２５は、用紙２６を格納する格納部として設けられている。給紙トレイ２５には、複数枚の用紙２６が格納されている。典型的には、給紙トレイ２５Ｐと給紙トレイ２５Ｑとには、寸法の異なる用紙２６が格納されている。給紙トレイ２５は、画像形成部１０における最下部に配置されている。給紙トレイ２５Ｐと給紙トレイ２５Ｑとは、上下に並んで設けられている。
【００３１】
給紙トレイ２５は、前側面４２において開閉可能に構成されている。より具体的には、給紙トレイ２５は、閉状態から、前側面４２より手前側に引き出されることによって開状態とされる。その開状態において、給紙トレイ２５に用紙２６が補給される。
【００３２】
上下２段の給紙トレイ２５（給紙トレイ２５Ｐ，２５Ｑ）が設けられる構成に替えて、１段の給紙トレイ２５が設けられてもよく、３段以上の給紙トレイ２５が設けられてもよい。
【００３３】
画像読取部２８は、画像形成部１０における最上部に配置されている。画像読取部２８において、原稿の画像が読み取られる。画像読取部２８は、自動原稿送り装置によって搬送される原稿の画像を読み取る。また画像読取部２８は、原稿読取台上に載せ置かれた原稿の画像を読み取る。
【００３４】
画像形成部１０は、画像読取部２８において読み取られた原稿の画像を形成する。給紙トレイ２５に収容された用紙２６は、各種の回転ローラーにより、中間転写ベルト２１と二次転写ローラー２２との間の二次転写部に搬送される。中間転写ベルト２１に担持されているカラートナー像は、二次転写部において用紙２６の表面に転写される。その後用紙２６は、定着装置２３に搬送される。定着装置２３において、カラートナー像が、用紙２６の表面に定着される。以上の工程により画像が形成された用紙２６は、排紙トレイ２４に排出される。
【００３５】
給紙トレイ２５から二次転写部を経由して定着装置２３へ搬送される用紙２６の搬送経路２６Ｒは、図３に示すように、鉛直方向に延びている。画像形成部１０は、給紙トレイ２５から定着装置２３に至るまで、用紙２６を上下方向に搬送する。
【００３６】
サーバー装置３０は、キャビネット３１と、サーバー３２とを有している。キャビネット３１は、内部空間を形成する筐体形状を有し、その内部空間にサーバー３２が収容されている。キャビネット３１は、画像形成装置１００の一部（下部）の外観を成している。サーバー３２は、画像形成部１０よりも下方に配置されている。キャビネット３１は、画像形成部１０のケーシングとは別筐体として設けられている。
【００３７】
キャビネット３１（サーバー装置３０）は、給紙トレイ２５（２５Ｑ）の直下に設けられている。給紙トレイ２５は、鉛直方向において、画像形成ユニット１１Ｙ，１１Ｍ，１１Ｃ，１１Ｋとキャビネット３１（サーバー装置３０）との間に設けられている。
【００３８】
サーバー３２は、データベースサーバー、Ｗｅｂサーバー、アプリケーションサーバー、および、ＦＴＰサーバー（ファイルサーバー）などの、複数のサーバー機能を有するハードウェアである。サーバー３２は、ネットワークインターフェイスを介して、外部ネットワークに接続可能に構成されている。またサーバー３２は、端子３７を有している。端子３７には配線３８の一端が接続されている。配線３８の他端は、画像形成部１０に設けられた端子２７に接続されている。配線３８は、画像形成部１０とサーバー３２とを電気的に接続している。サーバー３２は、配線３８を通じて、画像形成部１０と交互にデータを送信および受信が可能なように構成されている。
【００３９】
画像形成装置１００は、画像形成部１０に電力を供給するための第１電力供給部２９と、サーバー３２に電力を供給するための第２電力供給部３９とをさらに備えている。第１電力供給部２９および第２電力供給部３９は、たとえば、電源コードから構成されている。
【００４０】
第１電力供給部２９および第２電力供給部３９は、互いに独立して設けられている。商用電源などからの電力が、第１電力供給部２９を通じて画像形成部１０に供給される。商用電源などからの電力が、第２電力供給部３９を介してサーバー３２に供給される。このような構成により、画像形成部１０への電力供給の有無に関わらず、外部ネットワークに接続されたサーバー３２を稼働させることができる。
【００４１】
画像形成装置１００は、複数のキャスター６０をさらに備えている。キャスター６０は、画像形成装置１００の全体重量を支えるとともに、画像形成装置１００を走行可能としている。キャスター６０は、画像形成装置１００の走行方向に応じて自在に旋回可能な車輪を有している。典型的には、４つのキャスター６０が、底面４６の四隅に配置されている。
【００４２】
キャスター６０は、画像形成装置１００における最下部に設けられている。キャスター６０は、底面４６に設けられている。キャスター６０は、底面４６から下方へ突出している。キャスター６０が設けられているために、図３に示すように、画像形成装置１００の底面４６は、床面２００から離れた位置に配置されている。画像形成装置１００の底面４６と床面２００との間に、隙間が形成されている。
【００４３】
画像形成装置１００は、第１の扉５１と、第２の扉５２と、第３の扉５３と、第４の扉５４とをさらに備えている。
【００４４】
第１の扉５１は、画像形成部１０の画像形成動作の実行により消耗する消耗品、たとえばトナーカートリッジの交換のために、開閉される。第１の扉５１は、画像形成装置１００の前側面４２、より詳細には画像形成部１０における前側面４２に設けられている。第２の扉５２は、キャビネット３１にサーバー３２を出し入れするために、開閉される。第２の扉５２は、画像形成装置１００の右側面４３、より詳細にはサーバー装置３０における右側面４３に設けられている。
【００４５】
第３の扉５３は、画像形成部１０においてジャムが発生したときに、紙詰まり用紙を取り除くために、開閉される。第３の扉５３は、画像形成装置１００の左側面４４、より詳細には画像形成部１０における左側面４４に設けられている。図３に示すように、第３の扉５３を開くことにより、用紙２６の搬送経路２６Ｒを開放可能である。第４の扉５４は、配線３８の端子２７，３７への接続および取り外し作業のために、開閉される。第４の扉５４は、画像形成装置１００の左側面４４、より詳細にはサーバー装置３０における左側面４４に設けられている。
【００４６】
第１の扉５１と第２の扉５２とは、画像形成装置１００の異なる側面（前側面４２および右側面４３）に設けられている。第２の扉５２と第３の扉５３とは、画像形成装置１００の異なる側面（右側面４３および左側面４４）に設けられている。第１の扉５１と第３の扉５３とは、画像形成装置１００の異なる側面（前側面４２および左側面４４）に設けられている。第３の扉５３と第４の扉５４とは、画像形成装置１００の同じ側面（左側面４４）に設けられている。
【００４７】
第２の扉５２と第４の扉５４とは、画像形成装置１００の反対側の側面に設けられている。第４の扉５４は、第２の扉５２の設けられる右側面４３と反対側の左側面４４に設けられている。サーバー３２に設けられた端子３７は、第２の扉５２よりも第４の扉５４に近く配置されている。第４の扉５４は、第２の扉５２よりも寸法が小さく形成されていてもよい。第４の扉５４は、サーバー３２が出し入れできる寸法に形成される必要はなく、作業者が第４の扉５４を通じてキャビネット３１の内部に手を差し込める寸法に形成されていればよい。
【００４８】
第２の扉５２の下縁部に、第２の扉５２の回転中心となる回転軸５２Ａが設けられている。回転軸５２Ａは、水平方向、より具体的には画像形成装置１００の前後方向に延びている。第２の扉５２は、下縁部に設けられた回転軸５２Ａを中心として回動して開閉する。回転軸５２Ａはヒンジ軸であってもよく、このヒンジ軸を中心として回動する一対の板部材の一方がキャビネット３１に固定され、他方が第２の扉５２に固定された構成としてもよい。
【００４９】
図４は、サーバー装置３０の扉（第２の扉５２）を開放した状態を示す斜視図である。図４に示すように、キャビネット３１には、開口５５が形成されている。図１〜３を併せて参照して、開口５５は、画像形成装置１００の右側面４３に開口している。
【００５０】
第２の扉５２が閉じられると、開口５５が閉じられ、キャビネット３１の内部空間が閉空間になる。第２の扉５２が開けられると、開口５５が開放され、キャビネット３１の内部空間が開放される。第２の扉５２が開けられた状態で、図４に示すように、サーバー３２をキャビネット３１から取り出したり、サーバー３２をキャビネット３１内へ収容したりする作業が行なわれる。
【００５１】
本実施の形態の特徴的な構成および作用効果についてまとめて記載すると、以下の通りである。
【００５２】
図１〜３に示すように、画像形成部１０の画像形成動作の実行により消耗する消耗品の交換のために開閉される第１の扉５１は、前側面４２に設けられている。キャビネット３１へサーバー３２を出し入れするために開閉される第２の扉５２は、右側面４３に設けられている。第１の扉５１と第２の扉５２とは、画像形成装置１００の異なる側面に設けられている。第１の扉５１を開放しても、第２の扉５２を開けて行なうサーバー３２の出し入れ作業の妨げとなることがない。第２の扉５２を開放しても、第１の扉５１を開けて行なう消耗品の交換作業の妨げとなることがない。これにより、画像形成部１０のメンテナンス作業と、サーバー装置３０のメンテナンス作業とを、同時に行なうことができる。
【００５３】
画像形成部１０では、画像形成動作の実行により、その内部においてトナー粉末および紙粉などの異物が発生する。本実施の形態では、第１の扉５１と第２の扉５２とが画像形成装置１００の異なる側面に設けられているので、第１の扉５１を開放するときに異物が外部に飛散したとしても、サーバー３２へ異物が飛来することを抑制できる。したがって、画像形成部１０とサーバー装置３０とを同時にメンテナンスする場合であっても、異物の落下の影響でサーバー３２に不具合が発生する事態を低減することができる。
【００５４】
また図２，３に示すように、ジャム発生時に紙詰まり用紙を取り除くために開閉される第３の扉５３は、左側面４４に設けられている。第２の扉５２と第３の扉５３とは、画像形成装置１００の異なる側面に設けられている。第３の扉５３を開放しても、第２の扉５２を開けて行なうサーバー３２の出し入れ作業の妨げとなることがない。第２の扉５２を開放しても、第３の扉５３を開けて行なうジャム処理作業の妨げとなることがない。これにより、画像形成部１０のメンテナンス作業と、サーバー装置３０のメンテナンス作業とを、同時に行なうことができる。
【００５５】
第３の扉５３を開放するときに、紙粉などの異物が外部に飛散しても、サーバー３２へ異物が飛来することを抑制できる。したがって、異物の落下によるサーバー３２の不具合の発生を抑制することができる。
【００５６】
図１〜３に示すように、第１の扉５１と第３の扉５３とを画像形成装置１００の異なる側面に設けることにより、第１の扉５１、第２の扉５２および第３の扉５３が、それぞれ異なる側面に設けられることになる。このようにすれば、サーバー３２への異物の飛来をより確実に抑制することができる。
【００５７】
また図３に示すように、画像形成部１０は、給紙トレイ２５から定着装置２３へ至る用紙２６の搬送経路２６Ｒが上下方向に延びる、縦搬送構成である。第３の扉５３は、上下方向に搬送される用紙２６の搬送経路２６Ｒを開放可能である。用紙２６の搬送経路２６Ｒが、画像形成部１０の一つの側面（左側面４４）に近く配置されているので、左側面４４に第３の扉５３を設けることで、紙詰まり用紙の処理が可能になる。右側面４３にジャム処理用の扉を設ける必要はない。したがって、サーバー３２の出し入れのために開閉される第２の扉５２の配置の自由度を向上することができる。
【００５８】
また図１〜３に示すように、画像形成部１０とサーバー３２とを電気的に接続する配線３８の着脱作業のための、第４の扉５４が設けられている。第４の扉５４を開放することで、配線３８の接続および取り外し作業を行なうことができる。
【００５９】
また図３に示すように、配線３８が接続される端子３７は、第２の扉５２よりも第４の扉５４に近く配置されている。このようにすれば、第４の扉５４を開放して行なう配線３８の着脱作業をより容易に行なうことができる。
【００６０】
また図３に示すように、第４の扉５４は、第２の扉５２の設けられる画像形成装置１００の右側面４３と反対側の左側面４４に設けられている。端子３７がサーバー３２の背面に設けられ、端子３７が第２の扉５２から離れた位置に配置されている場合でも、第４の扉５４を開くことにより、端子３７への配線３８の接続および取り外し作業を容易に行なうことができる。
【００６１】
また図１，２に示すように、第１の扉５１は、画像形成装置１００の前側面４２に設けられている。第１の扉５１は使用頻度が高いため、画像形成装置１００の正面側に第１の扉５１を配置することで、第１の扉５１を開放して行なう画像形成部１０のメンテナンス作業の作業性を向上することができる。
【００６２】
また図３に示すように、画像形成装置１００は、画像形成部１０に電力を供給する第１電力供給部２９と、サーバー３２に電力を供給する第２電力供給部３９とを備えている。画像形成部１０とサーバー３２とがそれぞれ電源を有していることにより、画像形成部１０とサーバー３２とは、独立して動作可能である。これにより、サーバー３２を停止して交換作業を行なう間も、画像形成部１０は動作を行なうことができる。また、サーバー機能を停止することなく、画像形成部１０のメンテナンス作業を行なうことができる。また、サーバー機能が不要なとき、画像形成部１０だけで動作可能であるため、余分な電力を省くことができる。
【００６３】
また図３，４に示すように、第２の扉５２は、その下縁部の回転軸５２Ａを中心として回動して開閉する。これにより、小さいスペースで第２の扉５２を開くことができる。第２の扉５２はその上縁部を中心として回動してもよいが、第２の扉５２を開けた状態でサーバー３２を出し入れする作業の容易性を考慮すると、第２の扉５２がその下縁部を中心として開閉する方が望ましい。
【００６４】
（実施の形態２）
図５は、実施の形態２におけるサーバー装置３０を側方から見た模式図である。実施の形態２では、図５に示すように、キャビネット３１の内部空間に箱８４が配置されている。サーバー３２は、箱８４に収容されている。箱８４は、サーバー３２を収容する収容部としての機能を有している。サーバー３２は、箱８４ごと、キャビネット３１から出し入れ可能に構成されている。
【００６５】
箱８４の側面には、一対の可動レール８２が取り付けられている。キャビネット３１の底面には、可動レール８２に係合する固定レール８１が取り付けられている。可動レール８２は、固定レール８１に対し相対移動可能に構成されている。固定レール８１と可動レール８２とは、サーバー３２および箱８４をキャビネット３１の外部へスライド移動可能とする、レール部８０を構成している。レール部８０は、サーバー３２および箱８４をスライド移動可能に支持している。レール部８０は、固定レール８１と可動レール８２との間に転動体を挟んだ公知のスライドレールであってもよい。
【００６６】
図６は、サーバー３２を収容する箱８４をキャビネット３１の外部へスライド移動した状態を示す斜視図である。図６に示すように、可動レール８２が固定レール８１に対して相対的にスライド移動することにより、可動レール８２と一体に箱８４がスライド移動する。これに伴い、箱８４に収容されたサーバー３２が、キャビネット３１の外部へスライド移動する。
【００６７】
このように、レール部８０を設けることにより、サーバー３２のキャビネット３１からの出し入れ作業が容易になる。また、サーバー３２がキャビネット３１の底面に直接載せ置かれる構成と比較して、レール部８０を介してサーバー３２が支持されているので、サーバー３２に伝わる振動および衝撃を緩和することができる。したがって、サーバー３２の信頼性を向上することができる。
【００６８】
今回開示された実施の形態は全ての点で例示であって制限的なものではないと考えられるべきである。本発明の範囲は上記した説明ではなくて特許請求の範囲によって示され、特許請求の範囲と均等の意味および範囲内での全ての変更が含まれることが意図される。
【符号の説明】
【００６９】
１０  画像形成部、１１Ｙ，１１Ｍ，１１Ｃ，１１Ｋ  画像形成ユニット、１２  感光体、１３  帯電装置、１４  露光装置、１５  現像装置、１６  一次転写ローラー、１７  クリーニングブレード、２１  中間転写ベルト、２２  二次転写ローラー、２３  定着装置、２４  排紙トレイ、２５，２５Ｐ，２５Ｑ  給紙トレイ、２６  用紙、２６Ｒ  搬送経路、２７，３７  端子、２８  画像読取部、２９  第１電力供給部、３０  サーバー装置、３１  キャビネット、３２  サーバー、３８  配線、３９  第２電力供給部、４１  天面、４２  前側面、４３  右側面、４４  左側面、４５  後側面、４６  底面、５１  第１の扉、５２  第２の扉、５２Ａ  回転軸、５３  第３の扉、５４  第４の扉、５５  開口、６０  キャスター、７０  タッチパネル、８０  レール部、８１  固定レール、８２  可動レール、８４  箱、１００  画像形成装置、２００  床面。
【図１】
2018138956.tif 000003
【図２】
2018138956.tif 000004
【図３】
2018138956.tif 000005
【図４】
2018138956.tif 000006
【図５】
2018138956.tif 000007
【図６】
2018138956.tif 000008